(57)【要約】【課題】筆記時にぼたつきが生じず、また９０°を越える筆記角度で筆記してもかすれることのない水性ボールペンの開発を課題とする。【解決手段】ボールペンチップ５はインキ収納部７と連通するインキ導通孔１２と、当該インキ導通孔１２に連通し筆記用ボール１０が収納されるボール収納室４０を備える。ボール収納室４０は筆記用ボール１０を保持する錐形の座面４５を有する。座面の開き角度は９５°以下である。【選択図】　図３
2004009605.tif 000002
【特許請求の範囲】
【請求項１】
水性インキが収納されたインキ収納部と、当該インキ収納部に接続され筆記用ボールが一部露出した状態で回転可能に保持されたボールペンチップを有し、ボールペンチップはインキ収納部と連通するインキ導通孔と、当該インキ導通孔に連通し筆記用ボールが収納されるボール収納室を備え、ボール収納室はボールを保持する錐形の座面を有する水性ボールペンであって、前記座面の開き角度が９５°以下であることを特徴とする水性ボールペン。
【請求項２】
水性インキが収納されたインキ収納部と、当該インキ収納部に接続され筆記用ボールが一部露出した状態で回転可能に保持されたボールペンチップを有し、ボールペンチップはインキ収納部と連通するインキ導通孔と、当該インキ導通孔に連通し筆記用ボールが収納されるボール収納室を備え、ボール収納室はボールを保持する錐形の座面を有する水性ボールペンであって、前記座面の開き角度が６０°以上、９５°未満であることを特徴とする水性ボールペン。
【請求項３】
座面の断面における傾斜は直線的であることを特徴とする請求項１又は２に記載の水性ボールペン。
【請求項４】
筆記用ボールをボール収納室の中心に配置し、筆記用ボールを座面に当接したとき、筆記用ボールが座面と接触する、経線に相当する位置は、当該経線の径が筆記用ボールの直径の７０％以上８８％未満に相当する位置であることを特徴とする請求項１乃至３のいずれかに記載の水性ボールペン。
【請求項５】
筆記用ボールをボール収納室の中心に配置し、筆記用ボールを座面に当接した状態において、筆記用ボールの露出端側に形成されるボール収納室の開口直径Ｗは、当該部分における筆記用ボールの弦の長さｗ（横断面の直径）に対して０．０１５ｍｍ以上大きいことを特徴とする請求項１乃至４のいずれかに記載の水性ボールペン。
【請求項６】
筆記用ボールのボール直径は０．５ｍｍ以上であることを特徴とする請求項１乃至５のいずれかに記載の水性ボールペン。
【請求項７】
筆記用ボールのボール直径は０．８ｍｍ以上であることを特徴とする請求項１乃至６のいずれかに記載の水性ボールペン。
【請求項８】
チップ本体と筆記用ボールによって構成され、ボールペンの先端に設けられるボールペンチップにおいて、チップ本体には後端部と連通するインキ導通孔と、当該インキ導通孔に連通し筆記用ボールが収納されるボール収納室を備え、ボール収納室はボールを保持する錐形の座面を有し、前記座面の開き角度が６０°以上、９５°未満であり、筆記用ボールを座面に当接したとき、筆記用ボールが座面と接触する経線に相当する位置は、当該経線の径が筆記用ボールの直径の７０％以上８８％未満に相当する位置であることを特徴とするボールペンチップ。
【発明の詳細な説明】
【０００１】
【発明の属する技術分野】
本発明は、水性ボールペン及びボールペンチップに関するものである。
【０００２】
【従来の技術】
日常的に使用する筆記具として、水性ボールペンが知られている。ここで水性ボールペンとは、水やアルコール、エーテル等を溶剤とした水溶性のインキを内蔵したボールペンである。
水性ボールペンに採用されるボールペンチップは、チップ本体の中に筆記用ボールが回転可能に保持されたものであり、インキ収納部内のインキを筆記用ボールに導き、筆記用ボールの回転に応じてインキを紙等に付着させる機能を果たす。
【０００３】
図６（ａ）は、従来技術のボールペンチップの先端部分の断面図であり、（ｂ）は、（ａ）のＢ−Ｂ断面図である。
すなわち水性ボールペンのボールペンチップは、チップ本体１００と筆記用ボール１０２によって構成されている。チップ本体１００の外形は先端１０１が円錐状をしており、ボール１０２はボール収納室１０３内に挿入され、さらにボール１０２はチップ本体１００の先端１０１で挟持されている。
【０００４】
チップ本体１００の内部構造は、先端に凹状のボール収納室１０３があり、後端にインキ導通開口が設けられている。また中央の細孔１１０は、ボール収納室１０３とインキ導通開口を貫通している。ボール収納室１０３の座面１０５はすり鉢の様な略円錐形であり、その表面には矢溝と称される放射状の溝１０７が設けられている。
ここで従来技術の水性ボールペンでは、ボール収納室１０３の座面１０５の開き角度は図６の様に１２０°程度であった。
またボール収納室１０３の座面１０５には「座打ち」と称される加工が施され、クレータ状の窪み１０８が形成されている。なお「座打ち」とは、チップ本体１００のボール収納室１０３に筆記用ボール１０２を挿入し、チップ本体１００の開口部をかしめた後、ボール１０２を座面１０５側に叩く加工工程であり、座面１０５の表面を凹変させることによって筆記用ボール１０２を沈め、筆記用ボール１０２とチップ本体１００の開口部との間に隙間を形成させるものである。従来技術の水性ボールペンでは、上記した様な座打ちを行うため、チップ本体１００の座面１０５の断面における傾斜線に座打ちによる凹変部がある。
【０００５】
また水性ボールペンで使用されるボールペンチップは、インキの流出量を確保するため、筆記用ボール１０２とチップ本体１００の開口部との間に形成される隙間は大きい。具体的には水性ボールペンで使用されるボールペンチップでは、筆記用ボール１０２をボール収納室１０３の中心に配置し、筆記用ボール１０２を座面１０５に当接した状態を基準としたとき、筆記用ボール１０５の露出端に形成されるチップ本体１００の開口直径Ｗは、当該部分における筆記用ボールの弦の長さｗ（横断面の直径）に対して０．０１５ｍｍ〜０．０７ｍｍ程度大きい（図６　参照）。
同様に水性ボールペンで使用されるボールペンチップでは、ボール収納室１０３の内径と筆記用ボール１０２の直径との寸法差も０．０１５ｍｍ〜０．０７ｍｍ程度と大きい。
【０００６】
【発明が解決しようとする課題】
水性ボールペンは、発色が鮮やかであり、筆記具として優れた性能を持つ。しかしながら、従来技術の水性ボールペンは、筆記時にインキのぼたつきが生じるという不満がある。すなわち従来技術の水性ボールペンを使用して連続した線を引くと、紙等へのインキの付着量が異様に多い部分ができる。特に筆記用ボールの直径が大きい場合にこの傾向が強い。
【０００７】
また従来技術の水性ボールペンは、図７の様に、ペン先を手前側、尾栓を先端側に傾けた姿勢で筆記する書き癖を有する人には使い辛く、インキがかすれてしまうという不具合があった。
すなわち水性ボールペンは、先端から突出したボールによって線を描くものであるから、筆記角度が小さいとチップ本体が紙等の被筆記物と接触してしまう。そのため水性ボールペンを使用する人は、無意識の内に高い筆記角度で水性ボールペンを保持して筆記を行う。またそれが嵩じて図７の様にペン先が手前側に向かう姿勢に水性ボールペンを保持して筆記を行う人も珍しくない。従来技術の水性ボールペンを図７の様な姿勢で保持して筆記すると、インキがかすれる傾向にある。
すなわち従来技術の水性ボールペンは、通常の筆記姿勢で筆記した場合にはインキのぼたつきがあり、図７の様な筆記姿勢で筆記すると逆にインキがかすれてしまうという問題点があった。
そこで本発明は、従来技術の水性ボールペンの上記した欠点に注目し、筆記時にぼたつきが生じず、また図７に示すようなペン先を手前側にした姿勢で筆記してもかすれることのない水性ボールペンの開発を課題とするものである。
【０００８】
【課題を解決するための手段】
そして本発明者らは、上記した課題を解決するため、インキがぼたつく原因や、かすれが生じる原因を検討した。その結果、これらの不具合が生じるメカニズムは、次の通りであると判明した。
以下、図８を参照しつつ、従来技術の水性ボールペンが不具合を起こす理由について説明する。
図８（ａ）（ｂ）は、いずれも従来技術の水性ボールペンを使用して筆記を行う際のボールペンチップの部分拡大断面図であり、（ａ）は水性ボールペンを傾斜して引き書きした場合を示し、（ｂ）は水性ボールペンを傾斜して押し書きした場合を示す。
【０００９】
図８（ａ）の様に従来技術の水性ボールペンを使用し、水性ボールペンを傾斜して引き書きすると、筆記用ボール１０２が紙面１２３に押されてずれる。より具体的には、水性ボールペンを傾斜して引き書きすると、筆記用ボール１０２は、図８（ａ）の様に、傾斜側と反対側（上部側）に寄る。そのためインキが外部に流出する流出口たる、チップ本体１００の開口と筆記用ボール１０２との空隙は、歪になる。具体的には、ボールの繰り出し側の空隙１２２が増加し、戻り側の空隙１３０は小さくなる。
【００１０】
そしてこの状態で引き書きすると、インキは、図示しないインキ収納部からチップ本体１００内に流れ、中央の細孔１１０を経てボール収納室１０３に入り、さらにインキは、筆記用ボール１０２の回転に応じてインキ収納部の内壁（水性ボールペンの傾斜側の内壁）１２０と筆記用ボール１０２の間の空隙１２１を流れる。そしてインキは、筆記用ボール１０２の回転に巻き込まれ、チップ本体１００の開口と筆記用ボール１０２との間に生じる空隙であって水性ボールペンの傾斜側の部分（ボールの繰り出し側の空隙１２２）から外部に漏出し、紙等の被筆記物１２３にインキが塗布される。
【００１１】
ここで筆記用ボール１０２に巻き込まれて外部の漏出したインキの全てが紙等に塗布される訳ではなく、その何割かは筆記用ボールに付着した状態でボール収納室１０３に戻る。しかしながら従来技術の水性ボールペンでは、前記した様に筆記用ボール１０２が紙面１２３に押されてずれており、筆記用ボール１０２は傾斜側と反対側（上部側）に寄っているから、インキ戻り側における筆記用ボール１０２とチップ本体１００の開口との空隙１３０は狭い。
そのため図８（ａ）の様に、インキは傾斜側に対して反対側の部位（筆記用ボールの戻り側）で、チップ本体１００の開口部によってボール１０２から削ぎ落とされ、チップ本体１００の開口端に堆積する。そしてインキの堆積量が多くなると堆積したインキが紙面１２３に落下し、インキのぼたつきが生じることとなる。
【００１２】
水性ボールペンを押し書きする場合も同様であり、図８（ｂ）の様にインキ戻り側（傾斜側）の空隙１３０’が狭くなり、インキ溜まりができてインキがぼたつくこととなる。
【００１３】
また図７の様にペン先を手前側にした姿勢で筆記した時にかすれが生じる原因も同様である。すなわちペン先を手前側にした姿勢で筆記すると引き書き状態と押し書き状態が筆記中に入れ代わる。そのためチップ本体１００の開口と筆記用ボール１０２との隙間が狭められた位置から筆記用ボール１０２が繰り出される状況が生じ、インキの流出口が絞られてインキがかすれてしまう。
【００１４】
そこで本発明者らは、筆記用ボールの移動を防止するための試行錯誤を繰り返した。図９はその過程で試作した構成であり、失敗例である。すなわち図９（ａ）（ｂ）は、試作した水性ボールペンを使用して筆記を行う際のボールペンチップの部分拡大断面図である。
【００１５】
すなわち本発明者らは、図９（ａ）の様にボール収納室１０３の後端側の開口１３１を大きくして開口端部１３２でボールを保持する構成や、同（ｂ）の様に座打ちを大きくして筆記用ボール１０２とチップ本体１００との接触面積を増大させてボールを安定化する構造を試作したが、いずれも筆記用ボール１０２の回転が悪くなる弊害が有り、好ましい結果は得られなかった。この理由について検討したところ、前者の様にボール収納室１０３の後端側の開口１３１を大きくして開口端部１３２でボール１０２を保持する構成とすると、筆記用ボール１０２が開口端部１３２のエッジ部分に引っ掛かるためであった。また後者の座打ちを大きくする構成では、筆記用ボール１０２とボール収納室１０３の座面１０５との接触面積が大きくなって両者の摺動抵抗が増大するためであった。
【００１６】
そこで本発明者らは、この失敗を踏まえ、次の対策として、ボール収納室の座面の傾斜角度を変化させたところ、特定の傾斜角度の範囲であれば、筆記用ボールが安定し、且つ当該ボールの回転も円滑であることが分かった。
【００１７】
上記した知見に基づいて完成した請求項１に記載の発明は、水性インキが収納されたインキ収納部と、当該インキ収納部に接続され筆記用ボールが一部露出した状態で回転可能に保持されたボールペンチップを有し、ボールペンチップはインキ収納部と連通するインキ導通孔と、当該インキ導通孔に連通し筆記用ボールが収納されるボール収納室を備え、ボール収納室はボールを保持する錐形の座面を有する水性ボールペンであって、前記座面の開き角度が９５°以下であることを特徴とする水性ボールペンである。
【００１８】
本発明の水性ボールペンでは、ボール収納室のボールを保持する座面の開き角度が９５°以下である。すなわち従来技術においては、ボール収納室のボールを保持する座面の開き角度が１２０°程度であったが、これを極端に小さなものとした。その結果、筆記用ボールが紙面等から押圧力を受けた時、ボールに生じる横方向分力の内、ボールを移動させようとする方向に働く力が小さくなり、ボールのずれが抑制される。
【００１９】
また請求項２に記載の発明は、水性インキが収納されたインキ収納部と、当該インキ収納部に接続され筆記用ボールが一部露出した状態で回転可能に保持されたボールペンチップを有し、ボールペンチップはインキ収納部と連通するインキ導通孔と、当該インキ導通孔に連通し筆記用ボールが収納されるボール収納室を備え、ボール収納室はボールを保持する錐形の座面を有する水性ボールペンであって、前記座面の開き角度が６０°以上、９５°未満であることを特徴とする水性ボールペンである。
【００２０】
本発明の水性ボールペンについても、ボール収納室のボールを保持する座面の開き角度が９５°以下であるため、筆記用ボールが紙面等から押圧力を受けた時、ボールに生じる横方向分力が小さく、ボールのずれが抑制される。
また本発明の水性ボールペンでは、座面の開き角度の下限についても規定している。すなわち座面の開き角度が小さいとボールを移動させる分力が小さいものとなるが、当該角度が極端に小さ過ぎると、楔効果によってボールと座面との結合力が増大し、ボールの回転が阻害される。本発明では、座面の開き角度が６０°以上であるから、ボールの回転は円滑である。
【００２１】
また請求項３に記載の発明は、座面の断面における傾斜は直線的であることを特徴とする請求項１又は２に記載の水性ボールペンである。
【００２２】
本発明の水性ボールペンでは、座面の断面における傾斜は直線的である。要するに本発明で採用するボールペンチップは、座打ち加工を施さず、座面にクレータ状の凹部が無い。そのため筆記用ボールの回転は円滑である。
すなわち請求項１，２に記載の発明は、前記したように従来技術の水性ボールペンに比べて座面の開き角度が小さいから、楔効果によるボールと座面との結合力が大きく、ボールの回転を阻害する要因となる。そこで本発明は、座面の断面における傾斜を直線的なものとしてボールと座面との接触面積を極小とし、ボール回転の円滑性を確保した。
【００２３】
また請求項４に記載の発明は、筆記用ボールをボール収納室の中心に配置し、筆記用ボールを座面に当接したとき、筆記用ボールが座面と接触する、経線に相当する位置は、当該経線の径が筆記用ボールの直径の７０％以上８８％未満に相当する位置であることを特徴とする請求項１乃至３のいずれかに記載の水性ボールペンである。
【００２４】
本発明の水性ボールペンは、筆記用ボールと座面との接触位置を規定したものである。すなわちボール収納室は、錐形の座面を持ち、当該座面で筆記用ボールを保持するから、座面と筆記用ボールとの接触線は、円環状となる。そのため当該接触線たる円環がボールの赤道に相当する（中心を通る断面で切った場合の円周）長さに近づく程、ボールは安定し、移動やずれが抑制される。その反面、接触線たる円環がボールの赤道に相当する長さに近づく程、ボールの回転が阻害される。
本発明者らの実験によると、筆記用ボールが座面と接触する、経線に相当する位置に注目したとき、当該経線の径が筆記用ボールの直径の７０％以上８８％未満に相当する位置である場合にボールが安定し、且つその回転も円滑であることが判明した。すなわち前記位置の経線の径がボールの直径の７０％未満である場合は、ボールが安定せず、筆記時にずれ動く場合が多い。また前記位置の経線の径がボールの直径の８８％を越える場合は、ボールの回転が円滑でなくなる。
【００２５】
また請求項５に記載の発明は、筆記用ボールをボール収納室の中心に配置し、筆記用ボールを座面に当接した状態において、筆記用ボールの露出端側に形成されるボール収納室の開口直径Ｗは、当該部分における筆記用ボールの弦の長さｗ（横断面の直径）に対して０．０１５ｍｍ以上大きいことを特徴とする請求項１乃至４のいずれかに記載の水性ボールペンである。
【００２６】
本発明の水性ボールペンでは、筆記用ボールの露出端における筆記用ボールとボール収納室との隙間が大きいので、水性インキの流出が円滑である。
【００２７】
また請求項６に記載の発明は、筆記用ボールのボール直径は０．５ｍｍ以上であることを特徴とする請求項１乃至５のいずれかに記載の水性ボールペンである。
【００２８】
また請求項７に記載の発明は、筆記用ボールのボール直径は０．８ｍｍ以上であることを特徴とする請求項１乃至６のいずれかに記載の水性ボールペンである。
【００２９】
前記した様な筆記用ボールが移動するという問題は、ボールの直径が大きいほど顕著である。特に上記した問題点は、筆記用ボールのボール直径は０．８ｍｍ以上である場合に頻発する傾向にある。本発明は、請求項１乃至６に記載の発明を直径が０．８ｍｍ以上の筆記用ボールを持つ水性ボールペンに適用したものである。
【００３０】
また請求項８に記載の発明は、チップ本体と筆記用ボールによって構成され、ボールペンの先端に設けられるボールペンチップにおいて、チップ本体には後端部と連通するインキ導通孔と、当該インキ導通孔に連通し筆記用ボールが収納されるボール収納室を備え、ボール収納室はボールを保持する錐形の座面を有し、前記座面の開き角度が６０°以上、９５°未満であり、筆記用ボールを座面に当接したとき、筆記用ボールが座面と接触する経線に相当する位置は、当該経線の径が筆記用ボールの直径の７０％以上８８％未満に相当する位置であることを特徴とするボールペンチップである。
【００３１】
本発明のボールペンチップでは、筆記用ボールは移動すること無く安定し、且つ筆記用ボールの回転も円滑である。そのため本発明のボールペンチップを使用するとインキのぼたつきやかすれが少ない。
【００３２】
【発明の実施の形態】
以下さらに本発明の実施形態の水性ボールペンについて説明する。
図１は、本発明の実施形態に係る水性ボールペンの断面図である。図２は、図１の水性ボールペンのボールペンチップの部分断面斜視図である。図３は、図１の水性ボールペンを使用して筆記を行う際のボールペンチップの部分拡大断面図である。図４は、本発明の他の実施形態に係る水性ボールペンのボールペンチップの部分拡大断面図である。図５は、図１に示す水性ボールペンと従来技術の水性ボールペンの筆記試験結果を示す筆記図である。
【００３３】
図１に示した本発明の実施形態のボールペン１は、筒状の本体軸２と、インキ芯３とを備えている。また、インキ芯３は、筆記用ボール１０が回転可能に保持されたボールペンチップ５を有し、該チップ５が、接続部材６を介してインキ収納管（インキ収納部）７の先端に取付けられたものである。継手部材６内部には球状の弁体８が設けられている。
【００３４】
上記ボールペンチップ５は、チップ本体１１と筆記用ボール１０によって構成され、チップ本体１１の先端に筆記用ボール１０が設けられたものである。チップ本体１１は、快削鋼等の金属材料を切削加工して作られている。チップ本体１１の材料は、他に例えば快削ステンレス鋼（Ｆｒｅｅ　Ｃｕｔｔｉｎｇ　Ｓｔａｉｎｌｅｓｓ　Ｓｔｅｅｌ）や真鍮を用いることが可能である。
チップ本体１１の外形形状は、先端部分１７が円錐形をしており、後側１８は円柱状をしている。また後端側の部位には段差１９が設けられており、段差１９よりも更に後端側はやや小径に作られている。
ボールペンチップの内部の概略形状は、先端部分に筆記用ボール１０が収納されるボール収納室４０を持ち、ボール収納室４０から後端側に連通するインキ導通孔１２が設けられたものである。
【００３５】
インキ導通孔１２の後端開口の近傍部分に弁受けが形成されている。
チップ本体１１のボール収納室４０には、筆記用ボール１０が回転可能に収納されているが、ボール収納室４０部分の詳細は図２，３の通りである。すなわちボール収納室４０は、端部が開放された凹形状であり、円筒壁４１を持つ。また開放端は、ややかしめられていて窄んでいる。
【００３６】
ボール収納室４０の開放側に対向する部位には、座面４５が設けられている。座面４５は、６０°〜９５°の開き角度θ（図３）を持つ円錐面であり、中央の孔４６に収斂し、インキ導通孔１２と連通している。
座面４５の開き角度は、重要な意味を持ち、前記した様に６０°〜９５°であることが必要である。またより好ましくは、８５〜９５°であり、さらに好ましい範囲は、８８°〜９２°である。図３は、最も望ましい構成として座面４５の開き角度θが９０°の例を図示し、図４は開き角度θの下限たる６０°の例を示すものである。
【００３７】
ボール収納室４０の中央の孔４６は、筆記用ボール１０のボール径の約１／２であり、具体的には０．３ｍｍ〜０．６ｍｍ程度である。
また座面４５の座面には十字の放射状に延びる溝４９が設けられている。前記した溝４９は矢溝と称されるものである。
【００３８】
本実施形態で採用するボールペンチップでは、座面４５に座打ちの跡がなく、座面４５の断面における傾斜は直線的である。
【００３９】
筆記用ボール１０は、直径が０．５〜２．０ｍｍ程度の球であるが、本実施形態のボールペンは、後記する様に顔料を含む水性インキが使用されるので、ボール１０の直径は０．８〜２．０ｍｍであることが望ましい。
また筆記用ボール１０の素材には特に限定がなく、ステンレススチールやアルミナ焼結体、ジルコニア、ＳｉＣ、ＷＣその他公知のものが使用できる。
【００４０】
そして筆記用ボール１０は、ボールペンチップのボール収納室４０内に回転可能に保持され、その一部がボール収納室４０の開口から露出している。
【００４１】
筆記用ボール１０の直径ｄとボール収納室４０の円筒壁４１の内径Ｄとの関係は、円筒壁４１の内径Ｄがボール１０の直径ｄに比べて０．０１ｍｍ〜０．１ｍｍ大きい。すなわち筆記用ボール１０を座面４５に押し当てた時、筆記用ボール１０とボール収納室４０の間に０．００５〜０．０５ｍｍの隙間ができる。
【００４２】
また前記した様にボール収納室４０の開口部分はかしめられており、筆記用ボール１０の赤道から露出側の部位であってボール収納室４０内にある部分は、どの部分においても０．００５ｍｍ〜０．０５ｍｍ程度の隙間が確保されている。筆記用ボール１０をボール収納室４０の中心に配置し、筆記用ボール１０を座面４５に当接したとき、筆記用ボール１０の露出端に環状の隙間４７が生じる。そして当該隙間の隙間幅は０．００５ｍｍ〜０．０５ｍｍである。すなわち筆記用ボール１０とチップ本体１１の開口部との間に形成される隙間４７は０．００５ｍｍ〜０．０５ｍｍ程度である。
言い換えると、図３の様に、筆記用ボール１０を座面４５に当接した状態を想定した時、チップ本体１１の開口直径Ｗ（ボール収納室４０の露出端側に形成されるボール収納室の開口直径）は、当該部分における筆記用ボール１０の弦の長さｗ（横断面の直径）に対して０．０１ｍｍ〜０．１ｍｍ大きい。
【００４３】
この様に、開口隙間４７の幅は、前記した筆記用ボール１０とボール収納室４０間の隙間と同様の幅であり、片側幅が０．００５ｍｍ〜０．０５ｍｍ程度であり、より好ましくは０．００７ｍｍ〜０．０２５ｍｍである。
なお当該隙間４７が０．００７ｍｍ以上の様に比較的大きい場合に、本発明の作用効果が顕著である。
すなわち筆記用ボール１０をボール収納室４５の中心に配置し、筆記用ボール１０を座面４５に当接した状態において、筆記用ボール１０の露出端側に形成されるボール収納室の開口直径Ｗが、当該部分における筆記用ボール１０の弦の長さｗ（横断面の直径）に対して０．０１５ｍｍ以上大きい場合に本発明の作用効果が顕著である（請求項５）。
【００４４】
また筆記用ボール１０と座面４５との関係は、線接触状態である。すなわち本実施形態では、座打ち加工を行わず、座打ちによるクレータ状の凹変は無い。したがって座面４５の断面を見ると傾斜は直線である。本実施形態では、座面４５の断面における傾斜が直線状であり、これに断面形状が円たる筆記用ボール１０が接するので、両者の接点は点となり、当該点が円環状に広がるから、筆記用ボール１０と座面４５との接触は線接触となる。
また筆記用ボール１０が座面４５と接する位置は、筆記用ボール１０の径の７０％以上８８％未満の径に相当する位置である。
図３の断面図を参照して説明すると、筆記用ボール１０が座面４５と接する点同士を結ぶ直線（線分Ｂ−Ｃ）は、筆記用ボール１０の直径ｄの７０％〜８８％の範囲に入る。より望ましくは、７０％から７３％の範囲に入る。
すなわち本実施形態では、筆記用ボールをボール収納室４０の中心に配置し、筆記用ボール１０を座面４５に当接したとき、筆記用ボール１０が座面４５と接触する、経線に相当する位置は、当該経線の径が筆記用ボールの直径の７０％以上８８％未満に相当する位置である。
【００４５】
接続部材６は、ポリプロピレン樹脂等の熱可塑性樹脂を素材とする射出成形によって作られたものであり、外形形状は公知のものと大差無い。すなわち、接続部材６は先端部２０が円錐形をしている。また後端側は二段の円筒形状になっており、大径部２１と小径部２２が順次設けられている。接続部材６の中心には、軸方向に貫通する連通孔２３が設けられている。この連通孔２３の中間部分には弁座２５が設けられている。連通孔２３の先端側には位置決め用の段差３１が設けられている。
【００４６】
弁体８は、ステンレススチールや超硬合金或いはセラミックス等の錆びにくく、且つ、ある程度の重量を有する素材で作られた球である。
【００４７】
インキ収納管（インキ収納部）７は、ポリエチレン樹脂やポリプロピレン樹脂等を素材として押出成形によって作られたものであり、水性インキ３０が充填されている。水性インキ３０の着色剤は、染料であっても顔料であってもよいが、着色剤に顔料を使用している場合の方が、染料を使用した場合に比べて筆記用ボール１０とボール収納室４０間の隙間が大きい傾向にあるから、本発明は着色剤として顔料を使用する場合により好適であると言える。
また水性インキ３０としてガラスフレーク顔料を含有する光輝性の水性インキ３０を採用することもできる。
本実施形態で用いた水性インキ３０の粘度は１０００〜１００００ｍＰａ・ｓである（株式会社トキメック製ＥＬＤ型粘度計　３°Ｒ１４コーン、回転数：０．５ｒｐｍ、２０℃）。水性インキ３０の後端部分は、ポリブテン等のゲル状封止剤（図示せず）により封止されている。
【００４８】
インキ芯３は、図１に示すように、ボールペンチップ５とインキ収納管７が接続部材６を介して繋がれたものであり、ボールペンチップ５は、接続部材６の連通孔２３の先端側に内挿され、インキ収納管７は接続部材６の後端部の小径部２２に外装されている。そして、接続部材６内であって、ボールペンチップ５の弁受け１５と、弁座２５の間に、弁体８が軸方向に移動可能に挿入されている。本実施形態のボールペン１は、上記したインキ芯３の接続部材６の大径部２１に本体軸２が外装されたものである。
【００４９】
本実施形態のボールペン１を用いて文字等を筆記するとき、水性インキ３０は、インキ収納管７からボールペンチップ５のボール収納室４０に入り、筆記用ボール１０を介して紙等に塗布される。ここで本実施形態のボールペン１では、ボール収納室４０の座面４５の開口角度が９０°程度であり小さいので、筆記用ボール１０が座面４５から離れない。
【００５０】
この原理を図３を参照しつつ説明する。図３は、本実施形態の水性ボールペンを６５°の傾斜角度で紙面に押しつけた状態を示している。
この様に水性ボールペンを紙面に押しつけると、筆記用ボール１０は紙面から力Ｐを受ける。この力Ｐの方向は、紙面との接触点Ａからボール１０と座面４５の接触点Ｂに向かう方向である。
【００５１】
そして座面４５の接触点Ｂでは、座面４５に対して垂直方向の分力Ｎ１と、座面に対して平行な分力Ｎ２に分けられる。ここで図３に示す実施形態では、座面４５に対して平行な分力Ｎ２は、インキ導通孔１２の方向に向かう。すなわち筆記用ボール１０には、中心方向に向かう力が働く。したがって筆圧によって筆記用ボール１０は、中心方向に向かう様に押圧されるので、本実施形態では、筆記の際に筆記用ボール１０がずれない。
【００５２】
水性ボールペン１は、ボールペンチップ５から突出した筆記用ボール１０によって筆記するものであるから、筆記の際の傾斜角度には下限があり、４５°程度が通常に筆記可能な限界である。これに対して本実施形態では、座面４５の開き角度θが９０°であるから、４５°以上の筆記角度である場合は、座面４５に対して平行な分力Ｎ２は、インキ導通孔１２の方向に向かうこととなる。
そのため筆記の際に筆記用ボール１０の位置が安定し、筆記用ボール１０の露出部におけるボールペンチップ５の開口と、筆記用ボール１０との隙間が均一化される。すなわち本実施形態の水性ボールペン１では、筆記用ボール１０の露出部における開口隙間４７は、全周に渡って均一である。
【００５３】
その結果、従来技術で発生した様な戻り側のインキが削り取られるという現象が起きず、戻り側におけるインキの堆積が解消される。
また水性ボールペンを９０°を越える傾斜角度で筆記しても、筆記用ボール１０の露出部におけるボールペンチップ５の開口と、筆記用ボール１０との隙間が一定であるから、インキがかすれることもない。
【００５４】
座面４５の開き角度は、小さければ小さいほどインキ導通孔１２の方向に向かう分力Ｎ２が増大し、筆記用ボール１０は安定するが、座面４５の開き角度が小さすぎると、楔効果によって筆記用ボール１０を挟む力が増大し、ボール１０の円滑な回転が損なわれる。そのため前記した様に、座面の開き角度を、６０°未満とすることは望ましくない。
【００５５】
図３に示す断面形状を有する水性ボールペンを試作し、連続筆記試験を行ったところ、図５（ａ）の様にぼたつきのないものであった。これに対して従来技術の水性ボールペン（図８）では、図５（ｂ）の様にぼたつきが生じる。
【００５６】
【発明の効果】
以上、説明したように本発明では、ボール収納室の座面の開き角度を９５°以下としたため、筆記用ボールが紙面等から押圧力を受けた時、ボールに生じる横方向分力が小さくなり、ボールのずれが抑制される。
そのため本発明のボールペンは、筆記時にチップ本体の開口と筆記用ボールとの隙間が均一化し、インキのぼたつきやかすれが生じないという効果がある。
【図面の簡単な説明】
【図１】本発明の実施形態に係る水性ボールペンの断面図である。
【図２】図１の水性ボールペンのボールペンチップの部分断面斜視図である。
【図３】図１の水性ボールペンを使用して筆記を行う際のボールペンチップの部分拡大断面図である。
【図４】本発明の他の実施形態に係る水性ボールペンのボールペンチップの部分拡大断面図である。
【図５】図１に示す水性ボールペンと従来技術の水性ボールペンの筆記試験結果を示す筆記図である。
【図６】（ａ）は、従来技術のボールペンチップの先端部分の断面図であり、（ｂ）は、（ａ）のＢ−Ｂ断面図であり、（ｃ）は（ｂ）の部分拡大図。
【図７】筆記時の水性ボールペンの姿勢例を示す説明図である。
【図８】（ａ）（ｂ）は、いずれも従来技術の水性ボールペンを使用して筆記を行う際のボールペンチップの部分拡大断面図であり、（ａ）は水性ボールペンを傾斜して引き書きした場合を示し、（ｂ）は水性ボールペンを傾斜して押し書きした場合を示す。
【図９】試作した水性ボールペンを使用して筆記を行う際のボールペンチップの部分拡大断面図である。
【符号の説明】
１　ボールペン
５　ボールペンチップ
７　インキ収納管（インキ収納部）
１０　筆記用ボール
４５　座面
θ　座面の開き角度
【図１】
2004009605.tif 000003
【図２】
2004009605.tif 000004
【図３】
2004009605.tif 000005
【図４】
2004009605.tif 000006
【図５】
2004009605.tif 000007
【図６】
2004009605.tif 000008
【図７】
2004009605.tif 000009
【図８】
2004009605.tif 000010
【図９】
2004009605.tif 000011